(57)【要約】【課題】電装品箱の位置や、表面に付された銘板への記載事項の確認を容易にすることが目的とされる。【解決手段】  電装品を収納するケース１１と、ケース１１内に配設された照明装置１２及び蓄電装置１３とを備える。ケース１１の所定の領域Ｒには、ケース１１の内側から外側へと貫通している複数の孔１１１が設けられている。照明装置１２は、複数の孔１１１に向かって光を放つ。蓄電装置１３は、照明装置１２に供給する電力を蓄電する。【選択図】図４
2010008006.tif 000002
【特許請求の範囲】
【請求項１】
電装品を収納するケース（１１）と、
前記ケース内に配設された照明装置（１２）と
を備え、
前記ケースの所定の領域（Ｒ）に、前記ケースの内側から外側へと貫通している複数の孔（１１１）が設けられている、
電装品箱。
【請求項２】
前記照明装置（１２）は、前記複数の孔（１１１）に向かって光を放つ、請求項１記載の電装品箱。
【請求項３】
前記照明装置（１２）に供給する電力を蓄電する蓄電装置（１３）を更に備える、請求項１または請求項２記載の電装品箱。
【請求項４】
前記ケース（１１）の前記複数の孔（１１１）が設けられている位置に、前記ケースの外側から付され、透光性を有する銘板（１４）を更に備える、請求項１乃至請求項３のいずれか一つに記載の電装品箱。
【請求項５】
請求項１乃至請求項４のいずれか一つに記載の電装品箱（１）を搭載する、空気調和機。
【発明の詳細な説明】
【技術分野】
【０００１】
本発明は電装品箱に関し、例えば空気調和機に搭載されるものに関する。
【背景技術】
【０００２】
空気調和機は、自身の制御を行う制御装置を備える。制御装置は、例えば空気調和機に備えられた圧縮機のモータの回転数や、シロッコファンの回転数などを制御する。これにより、空気の温度が調節される。
【０００３】
制御装置などの電装品は、電装品箱に収納されている。例えば天井埋込み型の空気調和機では、電装品箱は天井裏に配置される。このため、空気調和機を取り付けた後に、電装品が故障して電装品を取り替える場合や、電装品のメンテナンスを行う場合には、照明器具で電装品箱内を照らす必要があった。
【０００４】
そこで従来から、電装品箱内に照明装置を取り付けて、制御装置の取替えやメンテナンスのときに点灯させる技術が提案されている。かかる技術は、例えば以下の特許文献１や特許文献２に開示されている。
【特許文献１】特開平２−１０６６８７号公報
【特許文献２】特開平１０−４７７０３号公報
【発明の開示】
【発明が解決しようとする課題】
【０００５】
しかし、従来の技術では、電装品箱内を照らすことはできるが、照明装置の光は電装品箱によって遮られるため、電装品箱の外を照らすことはできない。このため、電装品の取替えやメンテナンスを行う前に、電装品箱の位置や、電装品箱の表面に付された銘板への記載事項を確認する場合には、懐中電灯などの照明器具を用いる必要がある。
【０００６】
本発明は上述した事情に鑑みてなされたものであり、電装品箱の位置や、表面に付された銘板への記載事項の確認を容易にすることが目的とされる。
【課題を解決するための手段】
【０００７】
第１の発明にかかる電装品箱は、電装品を収納するケースと、ケース内に配設された照明装置とを備える。ケースの所定の領域には、ケースの内側から外側へと貫通している複数の孔が設けられている。
【０００８】
第２の発明にかかる電装品箱は、第１の発明にかかる電装品箱であって、照明装置は、複数の孔に向かって光を放つ。
【０００９】
第３の発明にかかる電装品箱は、第１または第２の発明にかかる電装品箱であって、照明装置に供給する電力を蓄電する蓄電装置を更に備える。
【００１０】
第４の発明にかかる電装品箱は、第１乃至第３の発明のいずれか一つにかかる電装品箱であって、ケースの複数の孔が設けられている位置に、ケースの外側から付され、透光性を有する銘板を更に備える。
【００１１】
第５の発明にかかる空気調和機は、第１乃至第４の発明のいずれか一つにかかる電装品箱を搭載する。
【発明の効果】
【００１２】
第１の発明にかかる電装品箱によれば、ケースに複数の孔が設けられているので、照明装置を点灯することで孔から光が漏れる。そして、その光を利用することで、電装品箱の位置や、ケースの表面に付された銘板への記載事項の確認が容易になる。
【００１３】
第２の発明にかかる電装品箱によれば、複数の孔から漏れる光の量が多くなるので、電装品箱の位置や、ケースの表面に付された銘板への記載事項の確認が、より容易になる。
【００１４】
第３の発明にかかる電装品箱によれば、蓄電装置で電力を蓄電しておくことで、照明装置への外部からの電力の供給が遮断された場合であっても、蓄電装置から照明装置へと電力を供給することで、照明装置を点灯することができる。
【００１５】
第４の発明にかかる電装品箱によれば、銘板が透光性を有するので、孔の上に銘板を付しても、孔からの光の漏れが妨げられない。
【００１６】
第５の発明にかかる空気調和機によれば、電装品箱の位置や、ケースの表面に付された銘板への記載事項の確認が容易であるので、例えば電装品箱が天井裏に位置する天井埋め込み型の空気調和機に適している。
【発明を実施するための最良の形態】
【００１７】
図１は、本発明の実施の形態にかかる電装品箱１を搭載した、天井埋め込み型の空気調和機１００を概念的に示す図である。空気調和機１００は、電装品箱１の他に、本体１０１及びファン１０２を備える。本体１０１には熱交換器などが収納されている。
【００１８】
図１には電装品箱１の外観、具体的には電装品箱１のケース１１が示されている。ケース１１には、空気調和機１００を制御する制御部などの電装品が収納される。
【００１９】
図２は、図１に示される矢印９０の方向に向かって電装品箱１を見たときの、ケース１１を示す図である。ケース１１には、所定の領域Ｒに複数の孔１１１が設けられている。複数の孔１１１はいずれも、ケース１１の内側から外側へと貫通している。
【００２０】
図３は、ケース１１を外した状態の電装品箱１を、矢印９０（図１）の方向に向かって見た図である。図３では、ケース１１を取り付けたときの領域Ｒの位置を一点鎖線で示している。図４は、ケース１１を付けた状態の電装品箱１の、図３に示される位置IV‐IVでの断面を矢印の方向に見た図である。
【００２１】
電装品箱１は、ケース１１の他に、照明装置１２、プリント基板１５、端子盤１６を備える。プリント基板１５には、制御部を構成する電子部品が実装されている。端子盤１６は、プリント基板１５に実装された電子部品への外部からの電力供給や、プリント基板１５を保護するためのアースなどに用いられる。
【００２２】
照明装置１２は、ケース１１内に配設されており、電力が供給されることで点灯する。照明装置１２には、例えばＬＥＤ（Light Emitting Diode）などを採用することができる。
【００２３】
上述した電装品箱１によれば、ケース１１に複数の孔１１１が設けられているので、照明装置１２を点灯することで孔１１１から光が漏れる。そして、その光を利用することで、電装品箱１の位置や、ケース１１の表面に付された銘板１４（図１及び図４）への記載事項の確認が容易になる。
【００２４】
図１に示される天井埋め込み型の空気調和機では、搭載されている電装品箱１は井裏に位置するため、上述した電装品箱１を採用することが特に好ましい。
【００２５】
電装品箱１の位置や、ケース１１の表面に付された銘板１４への記載事項の確認を容易にするという観点からは、照明装置１２は、次のように配置することが好ましい。すなわち、点灯したときに複数の孔１１１に向かって光が放たれるように、照明装置１２をケース１１内で配置する。図４には、かかる態様で配置された照明装置１２が示されている。
【００２６】
かかる態様で配置された照明装置１２によれば、照明装置１２の光は複数の孔１１１に向かうので、複数の孔１１１から漏れる光の量は多くなる。よって、ケース１１内に単に照明装置１２を配設した場合に比べて、電装品箱１の位置や、ケース１１の表面に付された銘板１４への記載事項の確認がより容易となる。
【００２７】
同様の観点から、矢印９０（図１）の方向に向かって見たときに、複数の孔１１１が設けられている位置（領域Ｒ）に照明装置１２を配置することが好ましい。図３には、かかる態様で配置された照明装置１２が示されている。
【００２８】
図３及び図４では、電装品箱１には蓄電装置１３が更に備えられている。蓄電装置１３は、照明装置１２に供給する電力を蓄電することができる。蓄電装置１３には、例えばコンデンサなどを採用することができる。
【００２９】
蓄電装置１３で電力を蓄電しておくことで、照明装置１２への外部からの電力の供給が遮断された場合であっても、蓄電装置１３から照明装置１２へと電力を供給することで、照明装置１２を点灯することができる。
【００３０】
図１及び図４では銘板１４は、複数の孔１１１が設けられている位置（領域Ｒ）に、ケース１１の外側から貼り付けられている。かかる場合には、銘板１４は、複数の孔１１１を塞いでしまうため、孔１１１からの光の漏れが銘板１４によって遮断されるおそれがある。
【００３１】
そこで、銘板１４には透光性を有するものを採用することが好ましい。かかる銘板１４によれば、複数の孔１１１が設けられている位置（領域Ｒ）に銘板１４を貼り付けても、孔１１１からの光の漏れは妨げられない。
【図面の簡単な説明】
【００３２】
【図１】本発明の実施の形態にかかる電装品箱を概念的に示した図である。
【図２】電装品箱のケースを示した図である。
【図３】ケースを外した状態の電装品箱を示した図である。
【図４】図３に示される位置IV‐IVでの電装品箱の断面を示した図である。
【符号の説明】
【００３３】
１  電装品箱
１１  ケース
１２  照明装置
１３  蓄電装置
１４  銘板
１１１  複数の孔
Ｒ  所定の領域
【図１】
2010008006.tif 000003
【図２】
2010008006.tif 000004
【図３】
2010008006.tif 000005
【図４】
2010008006.tif 000006